(57)【特許請求の範囲】
【請求項１】
釣竿に直接或いはリールを介して取り付けられる道糸(10)と、道糸(10)と別に形成され道糸(10)の先端に取り付けられる仕掛け(11)とを備え、当該仕掛け(11)は、道糸(10)の先端に直接或いはサルカン等のヨリ防止手段を介して設けられる幹糸(1) と、幹糸(1) に対し幹糸(1) の長手方向について間隔を開けて設けられた複数の枝糸(2) と、幹糸(1) に設けられた撒き餌収納用のカゴ(4) と、錘(5) とを備え、各枝糸(2) の先端に釣針(3) が設けられた釣り具において、
幹糸(1) の基端に上記のカゴ(4) が、また、幹糸(1) の先端に上記の錘(5) が、設けられたものであり、当該カゴ(4) と錘(5) との間において、幹糸(1) には、幹糸(1) の長手方向について間隔を開けて上記複数の枝糸(2) が設けられたものであり、
上記各枝糸(2) 間において、幹糸(1) の先端側に設けられた枝糸(2) のほうが、幹糸(1) の基端側に即ち竿側に設けられた枝糸(2) よりも長いものであり、これによって、上記幹糸(1) と釣針(3) との間隔は、幹糸(1) の基端側から幹糸(1) の先端側に向けて漸次大きくなって行くことを特徴とする釣り具。
【請求項２】
道糸の先端に取り付けられるものであって、基端側に撒き餌用カゴが取り付けられ先端側に錘が取り付けられて使用される幹糸(1) と、幹糸(1) に対し幹糸(1) の長手方向について間隔を開けて設けられ且つ先端に釣針(3) が取り付けられた複数の枝糸(2) とを備えた撒き餌用釣りの仕掛けにおいて、
上記各枝糸(2) 間において、幹糸(1) の先端側に設けられた枝糸(2) のほうが、幹糸(1) の基端側に即ち竿側に設けられた枝糸(2) よりも長いものであり、これによって、上記幹糸(1) と釣針(3) との間隔は、幹糸(1) の基端側から幹糸(1) の先端側に向けて漸次大きくなって行くことを特徴とする撒き餌用釣りの仕掛け。
【請求項３】
隣り合う枝糸(2) 同士は、幹糸(1) から、夫々異なる方向に伸びるものであることを特徴とする請求項２記載の撒き餌用釣りの仕掛け。
【発明の詳細な説明】
【０００１】
【発明の属する技術分野】
本願発明は、釣り具及びその仕掛けに関し、詳しくは、撒き餌という手法を用いる釣りに適した釣り具及びその仕掛けに関する。
【０００２】
【従来の技術】
撒き餌を収容したカゴを備えるサビキ釣りの仕掛けについてみると、市販されている仕掛けは、幹糸と、幹糸の長手方向沿って間隔を開けて設けられた複数の枝糸とを備え、各枝糸の先端に釣針が設けられ、各枝糸の長さは等しいものが一般的である。釣り人は、これらの仕掛けを購入して、釣り場にて、当該仕掛けを道糸に取り付けて使用する。
【０００３】
しかし、撒き餌は、巻かれた位置から海底に向かって沈んで行く際、徐々に拡散して広がって行くものであり、上記の通り、各枝糸の長さは等しいものでは、このように海底側に向けて広がる撒き餌に十分対応しておらず、水中において、釣針は、餌の逃げて行く位置に残されることとなる。
即ち、従来の上記仕掛けでは、撒き餌に引きつけられ来る魚のいる範囲に、確実に釣針を流すものとはなっていない。
【０００４】
また、このような複数の枝糸を備える仕掛けでは、枝糸同士が絡まることが多く、釣り人の悩みの種となっていた。
【０００５】
【発明が解決しようとする課題】
そこで、本願発明は、撒き餌の上記広がりに対応した仕掛け或いは釣り具を提供することにて、上記の課題の解決を図るものである。
【０００６】
【課題を解決するための手段】
本願第１の発明に係る釣り具では、釣竿に直接或いはリールを介して取り付けられる道糸１０と、道糸１０と別に形成され道糸１０の先端に取り付けられる仕掛け１１とを備え、当該仕掛け１１は、道糸１０の先端に直接或いはサルカン等のヨリ防止手段を介して設けられる幹糸１と、幹糸１に対し幹糸１の長手方向について間隔を開けて設けられた複数の枝糸２と、幹糸１に設けられた撒き餌収納用のカゴ４と、錘５とを備え、各枝糸２の先端に釣針３が設けられた釣り具について、次の構成を採るものを提供する。
即ち、幹糸１の基端に上記のカゴ４が、また、幹糸１の先端に、上記の錘５が設けられたものであり、当該カゴ４と錘５との間において、幹糸１には、幹糸１の長手方向について間隔を開けて上記複数の枝糸２…２が設けられたものであり、上記各枝糸２…２間において、幹糸１の先端側に設けられた枝糸２のほうが、幹糸１の基端側に即ち竿側に設けられた枝糸２よりも長いものであり、これによって、上記幹糸１と釣針３との間隔は、幹糸１の基端側から幹糸１の先端側に向けて漸次大きくなって行くことを特徴とする。
【０００７】
本願第２の発明は、道糸の先端に取り付けられるものであって、基端側に撒き餌用カゴが取り付けられ先端側に錘が取り付けられて使用される幹糸１と、幹糸１に対し幹糸１の長手方向について間隔を開けて設けられ且つ先端に釣針３が取り付けられた複数の枝糸２とを備えた撒き餌用釣りの仕掛けについて、次の構成を採るものを提供する。
上記各枝糸２…２間において、幹糸１の先端側に設けられた枝糸２のほうが、幹糸１の基端側に即ち竿側に設けられた枝糸２よりも長いものであり、これによって、上記幹糸１と釣針３との間隔は、幹糸１の基端側から幹糸１の先端側に向けて漸次大きくなって行くことを特徴とする。
【０００８】
本願第３の発明では、上記本願第１の発明にあって、隣り合う枝糸２同士は、幹糸１から、夫々異なる方向に伸びるものであることを特徴とする撒き餌用釣りの仕掛けを提供する。
【０００９】
本願の上記第１乃至第３の各発明では、幹糸１の先端側に設けられた枝糸２のほうが、幹糸１の基端側に即ち竿側に設けられた枝糸２よりも長いのとすることによって、釣り竿側（上方）より遠ざかるにつれ（海底側に向かうにつれ）、枝糸２は上方の枝糸２よりも、幹糸１と釣針３との間の間隔を大きいものとする。即ち、海底に向かうにつれて、釣針３…３の夫々は、中心となる幹糸１から離れることとなり、海底に向かうにつれて広がる撒き餌の範囲に対応する位置に釣針３…３を流すことができる。
上記の本願第１の発明は、道糸とは別途の仕掛けを、道糸に取り付けて使用するものについて、上記の作用を奏するものであり、本願第２の発明では、上記の作用を奏する仕掛けを提供するものである。
特に、上記本願第３の発明では、上記作用を奏すると共に、枝糸３…３が絡まることを抑制し得た。
【００１０】
【発明の実施の形態】
以下、図面に基づき本願発明の実施の形態について説明する。
図１及び図２へ、本願発明の一実施の形態を示す。図１は、その釣り具１００の略正面図を示す。図２は、その仕掛け１１の使用状態を示す略正面図である。説明の便宜上、各図中、Ｕは上方を、Ｓは下方を、Ｌは左方を、Ｒは右方を、示している。また、図１において、ｊは水中を、ｋは水面を示している。
【００１１】
図１に示す通り、この釣り具１００では、釣竿６にリール７を介して取り付けられる道糸１０と、道糸１０と別に形成され道糸１０の先端に取り付けられる仕掛け１１とを備える。
各部の構成について、順に説明する。
【００１２】
図２へ示す通り、この仕掛け１１は、幹糸１と、先端に釣針３…３（３ａ，３ｂ，３ｃ，３ｄ，３ｅ）が取り付けられた複数の枝糸２…２（２ａ，２ｂ，２ｃ，２ｄ，２ｅ）と、幹糸１の基端（上端）及び先端（下端）に取り付けられたサルカン等の第１及び第２ヨリ防止手段１２，１３と、第１及び第２ヨリ防止手段１２，１３の夫々に設けられた第１及び第２スイベル１４，１５とを備える。
尚、図１及び図２において、図面の煩雑を避けるため、幹糸１の長さ、幹糸１に対する各枝糸２…２（２ａ，２ｂ，２ｃ，２ｄ，２ｅ）の長さは、現実よりも短く描いてある。
【００１３】
釣針３…３（３ａ，３ｂ，３ｃ，３ｄ，３ｅ）の夫々は、疑似餌３０を備える。第１スイベル１４には、図１に示す撒き餌ｍを収容するカゴ４が取り付けられる。また、第２スイベル１５には、図１に示す錘５が取り付けられる。
【００１４】
各枝糸２…２（２ａ，２ｂ，２ｃ，２ｄ，２ｅ）は、幹糸１に対し幹糸１の長手方向ｎについて間隔を開けて設けられている。即ち、枝糸２…２（２ａ，２ｂ，２ｃ，２ｄ，２ｅ）の基端２０…２０は、幹糸１の長手方向ｎについて間隔を開けて、幹糸１に結ばれている。この基端２０…２０の間隔は、等間隔とする。但し、等間隔にするものに限定するものではなく、変更可能である。
【００１５】
上記の枝糸２…２については、、幹糸１の先端側に設けられた枝糸２のほうが、幹糸１の基端側に即ち竿側に設けられた枝糸２よりも長い。
即ち、上記幹糸１（基端２０）と釣針３との間隔は、幹糸１の基端側から幹糸１の先端側に向けて漸次、大きくなって行く。
この図２に即して説明すると、幹糸１（基端２０）と釣針３との間隔ｗについては、ｗ１＞ｗ２＞ｗ３＞ｗ４＞ｗ５の関係が成り立つ。
このように構成することによって、図１へ示す通り、カゴ４から落ちて、下方に進むにつれて広がって行く撒き餌ｍに対応して、釣針を下方に行くにつれて、幹糸１より遠ざかる位置に流すことができる。即ち、従来の仕掛けでは、カゴ４から下方に進むにつれて、撒き餌ｍが無くなる幹糸１付近に止められていた仕掛けの先端側の（下端側）釣針を、本願発明に係る上記仕掛け１１によって、餌のある位置に流すことを可能としたのである。
【００１６】
上記の実施の形態では、枝糸２…２の夫々が、幹糸１に対して、左右方向へのみ交互に伸びるものを示した。この他、幹糸１を中心として、上記の左右以外の方向にも、枝糸２が伸びるものとしても実施可能である。
例えば、仕掛け１１を平面視した際、幹糸１を中心として、３方以上の方向へ放射状に、各枝糸２…点２が伸びるものとしても実施可能である。このように構成することにて、各釣針３…３は、仕掛け１１の基端側（上方側）から先端側（下方側）にかけて、スパイラル状に配位される。このようにして、各方向に、偏りなく、釣針３…３を向けることができ、絡まりの防止に効果的である。
また、幹糸１に対して、各枝糸２…２は、回転可能に取り付けても実施可能である。
【００１７】
上記の実施の形態では、本願発明をサビキ釣りの仕掛けとして実施したものを示した。この他、キスを狙う場合などに行われる投げ釣り仕掛けなどにおいて、本願発明を実施することも可能である。その場合、図示はしないが、上記のようなカゴは、仕掛けに設けずに実施する。また、釣針は、疑似餌を備えたものに限定するものではない。釣りの手法に応じて、生き餌を釣針に差して行う場合にあっても、本願発明を実施することが可能である。
また、上記のように、道糸とは別に形成し道糸に取り付けて使用する仕掛けとして、本願発明を実施することも可能であるが、この他、道糸に直接、枝糸を形成するものとしても実施可能である。また、枝糸２…２の数も、図示した数に限定するものではない。
【００１８】
【発明の効果】
本願第１〜２の発明の実施によって、撒き餌を用いるサビキ釣りなどにおいて、水中にて、釣針を撒き餌のある適切な位置に流すことを可能とした。即ち、本願発明においては、水中における撒き餌の広がりに対応して、釣針を流すことができ、釣果を著しく向上し得た。
特に本願第３の発明の実施によって、上記の効果と共に、枝糸の絡まりを抑制して、玄人・素人に拘らず、取り扱いに優れた釣り具や仕掛けを提供し得た。
【図面の簡単な説明】
【図１】本願発明に係る釣り具の一実施の形態の使用状態を示す略正面図である。
【図２】上記釣り具に用いる仕掛け１１の正面図である。
【符号の説明】
１    幹糸
２    枝糸
３    釣針
４    カゴ
１０    道糸
１１    仕掛け
【図１】
0003813886.tif 000002
【図２】
0003813886.tif 000003